(57)【要約】　　　（修正有）【課題】物品を壁部やフロアや天井などのボルトとナットまたは他の組立方式によって物品を固定物に固定できる取り付け用ボルト・セットを提供する。【解決手段】ボルト１１と、固定ブッシュＡ１２と、固定ブッシュＢ１３と、固定ナット１４とを含み、本考案を物品の固定孔を貫通してから固定物体の孔部に置き入れ、且つ前記の構成の連動関係により物品を壁部やフロアや天井などのボルトとナットまたは他の組立方式によって固定物体に固定できない箇所に固定する。【選択図】　　図１
0003098067.tif 000002
【実用新案登録請求の範囲】
【請求項１】
旋回用ヘッドとネジヤマ付きボディを有するボルトと、
一枚の仕切片と複数のサポート・ボディを有し、前記仕切片の中央部に孔部が形成され、前記サポート・ボディ同士の間にガイド・スロットが形成され、前記孔部を介して前記ボルトに取り付けられる固定ブッシュＡと、
孔部を有し、その孔部を介して前記固定ブッシュＡのサポート・ボディにつけられる固定ブッシュＢと、
雌ネジ孔部と複数のガイド板を有し、その雌ネジ孔部を介して前記ボルトの雄ネジと螺合され、且つそれらのガイド板を前記固定ブッシュＡのガイド・スロットに配置するように設定される固定ナットとを有することを特徴とする、取り付け用ボルト・セット。
【請求項２】
固定ブッシュＡのサポート・ボディが二つまたは二つ以上備えることを特徴とする、請求項１に記載の取り付け用ボルト・セット。
【請求項３】
前記固定ナットにおけるガイド板が二枚または二枚以上あることを特徴とする、請求項１に記載の取り付け用ボルト・セット。
【請求項４】
前記ボルトの旋回ヘッドはニーズに応じて十字形ドライバーや一字形ドライバーや六角スパナや一般のスパナなどが旋回可能な旋回ヘッドに形成されることを特徴とする、請求項１に記載の取り付け用ボルト・セット。
【考案の詳細な説明】
【０００１】
【考案の属する技術分野】
本考案は、取り付け用ボルト・セットに係わり、特に物品を壁面やフロアや天井などのボルトとナットまたは他の組立方式によって固定物体に固定できない場合に使用される取り付け用ボルト・セットに関する考案である。
【０００２】
【従来の技術およびその課題】
普段、われわれは物品を固定物に固定しようとする場合に、大体ボルトを物品及び固定物の固定孔に貫通させてからナットによって他の側よりボルトと螺合することにより緊密になるように旋回し、物品を固定物に固定するような方式を採用するが、この種の方式のボルト及びナットを物品と固定物の両側の相互に合せることによって物品を固定物に固定できるため、物品を壁部やフロアや天井に固定しようとする場合、前記のような固定手段によっては固定を実施できない窮屈な状況を生じる場合がある。
【０００３】
他方では、釘を使用して物品を固定物に固着する場合があるが、釘を使用して物品を固定する場合では、物品を取り外そうとする場合、気軽に取り外すことができず、釘を強引に取り外す場合、固定物と釘自体を破損する場合がある。また、壁部取り付け手段や所謂内部膨張釘などを使用する場合がある。前記壁部取り付け手段や内部膨張釘などがまず物品の固定孔を貫通してから固定物の孔部に差し込まれ、また、ハンマーによって前記壁部取り付け手段または内部膨張釘のヘッドを打つことによって内部の構造を介して物品を固定物に固定する場合もあるが、この種の手段の場合では釘の課題と同じように、気軽に固定される物品を取り外せなくなり、強引に壁部取り付け手段や内部膨張釘を取り外そうとする場合、固定物と物品自体を破損する虞がある。
【０００４】
そのため、前記の従来物が依然として多くの課題を有し、好ましい設計ではなく、至極に改善される必要がある。
【０００５】
本考案の考案者は前記の従来物の生じるそれぞれの課題に鑑みて、研究開発を進めると共に、学術の運用を合せて極めた結果、とうとう本考案の取り付け用ボルト・セットを成功に開発するに至った。
【０００６】
【考案の目的】
本考案は、物品を壁部やフロアや天井などのボルトとナットまたは他の組立方式によって物品を固定物に固定できる取り付け用ボルト・セットを提供することをその主要な目的とする。
【０００７】
また、本考案は、物品の固定孔を貫通すると共に、固定物の孔部に差し込まれてから、ドライバーやスパナなどによって旋回でき、それぞれの構成の連動関係によって物品を固定物に固定できる、取り付け用ボルト・セットを提供することをその次の目的とする。
【０００８】
また、本考案は、物体を取り外そうとする場合、単にドライバーやスパナなどの道具によって旋回させることにより本考案の構成の連動関係を気軽に弛ませることができ、物品を固定物より容易に取り外すことができる、取り付け用ボルト・セットを提供することをその他の目的とする。
【０００９】
【課題を解決するための手段】
前記の目的を図ることができる本考案の取り付け用ボルト・セットは、ボルトと、固定ブッシュＡと、固定ブッシュＢと、固定ナットとを含み、本考案を物品の固定孔を貫通してから固定物体の孔部に置き入れ、且つ前記の構成の連動関係により物品を壁部やフロアや天井などのボルトとナットまたは他の組立方式によって固定物体に固定できない箇所に固定できるようになる。
【００１０】
以下、添付図面を参照しながら本考案の好適な実施の形態を詳細かつ具体的に説明するが、それらの説明による具体的な構成は単に本考案の実施可能な実施例に過ぎず、本考案の主張範囲を狭義的に定義するものではないことは言うまでもない。
【００１１】
【考案の実施の形態】
図１と図２に示すように、本考案による取り付け用ボルト・セットには、主にボルト１１と、固定ブッシュＡ１２と、固定ブッシュＢ１３と、固定ナット１４とを備え、そのうち、前記ボルト１１には旋回ヘッド１１１とネジヤマ付きボディ１１２とを有し、前記固定ブッシュＡ１２には仕切片１２１とサポート・ボディ１２２とを備え、前記仕切片１２１の中央部に孔部１２４を有し、且つ前記サポート・ボディ１２２とサポート・ボディ１２２との間にガイド・スロット１２３が形成され、且つ前記固定ブッシュＢ１３の中央部にも孔部１３１とサポート・ボディ１３２とを有し、且つ前記固定ナット１４には雌ネジ孔部１４１とガイド板１４２とガイド斜面１４３とを有する。
【００１２】
そのうち、前記ボルト１１のネジヤマ付きボディ１１２が固定しようとする物品の固定孔部を貫通してから、固定ブッシュＡ１２の孔部１２４に通され、この場合、物品がボルト１１の旋回ヘッド１１１と固定ブッシュＡ１２の仕切片１２１の間に置き入れられ、また、固定ブッシュＡ１２のサポート・ボディ１２２を固定ブッシュＢ１３の孔部１３１に通させ、且つ固定ナット１４の雌ネジ孔部１４１とボルト１１のネジヤマ付きボディ１１２と相互に螺合結合し、且つ固定ナット１４のガイド板１４２が前記固定ブッシュＡ１２のガイド・スロット１２３に位置するようになり、且つナット１４のガイド斜面１４３によって固定ブッシュＡ１２のサポート・ボディ１２２を広めさせ、緊密的に結合する効果を達成する。
【００１３】
固定ブッシュＢ１３は、置き入れられる孔部の大きさに応じて使用しなくてもよく、固定ブッシュＡ１２のサポート・ボディ１２２を広めさせることで同様な緊密的結合の効果を達成できる。
【００１４】
前記のそれぞれの部材の組立後に、本考案を固定物の孔部に置き入れ、且つ前記ボルト１１の旋回ヘッド１１１を旋回し、この場合、前記固定ナット１４がガイド・スロット１２３に沿って固定ブッシュＡ１２の仕切片１２１へ移動され、固定ブッシュＡ１２のサポート・ボディ１２２を外方へ広めさせ、本考案を孔部に固定し、且つ保護カバー１３を合せて使用することによって固定ブッシュＡ１２のサポート・ボディ１２２が固定ナット１４により過度に外方へ拡径して破損されることはなく、また、固定ブッシュＢ１３によって孔部との間の間隙を調整する必要もなくなり、物品を気軽に固定物に固定できる。
【００１５】
また、物品を取り外そうとする場合、単に前記ボルト１１の旋回ヘッド１１１を反対の方向へ旋回して固定ナット１４を後方へ向かって退かせて固定ブッシュＡ１２のサポート・ボディ１２２の外方へ広められる状態を解除すれば、物品を気軽に固定物より取り外すことができるようになる。
【００１６】
また、前記固定ブッシュＡ１２のサポート・ボディ１２２が二つまたは二つ以上使用でき、また、前記固定ナット１４のガイド板１４２がサポート・ボディの数量に応じて二つまたは二つ以上配置する場合がある。
【００１７】
図３（Ａ）、（Ｂ）、（Ｃ）に示すように、本考案のボルト１１の旋回ヘッド１１１はニーズに応じて十字形ドライバーや一字形ドライバーや六角スパナや一般のスパナなどによって旋回可能な公知の旋回ヘッドを広く採用できる。
【００１８】
【考案の効果】
本考案による取り付け用ボルト・セットと前記した従来技術とを相互に比較する場合、本考案は下記のような優れた点を有する。
一、本考案による取り付け用ボルト・セットは、物品を壁部やフロアや天井などのボルトとナットまたは他の組立方式によって固定物体に固定できない箇所に固定できる。
二、本考案による取り付け用ボルト・セットは、物品の固定孔を貫通してから固定物の孔部に置き入れられる場合、ドライバーやスパナなどによって旋回でき、本考案の構成の連動関係により物品を固定物に固定できる。
三、本考案による取り付け用ボルト・セットは、物体を取り外そうとする場合、単にドライバーやスパナなどによって旋回すれば、本考案の構成の連動関係を気軽に弛ませることができるので、物品を容易に固定物より取り外すことができる。
【００１９】
前記に説明したのは単に本考案の実施可能な実施の形態を説明し、当該実施の形態は本考案の主張範囲を制限するものではなく、本考案の技術要旨より逸脱しない限り、相同効果を有するように実施されるすべての物品がすべて本考案の主張範囲内に納入されるべきことが言うまでもない。
【００２０】
前記に説明した通りに、本考案は空間的形態において明らかに新たな考案設計を有しつつ、従来物より前記のような多くの効果増進する点を有し、既に実用新案登録の新規性と進歩性との要件を満たす。
【図面の簡単な説明】
【図１】本考案の取り付け用ボルト・セットを示す分解斜視図である。
【図２】本考案の取り付け用ボルト・セットを示す組立斜視図である。
【図３】本考案の取り付け用ボルト・セットのボルトの実施の形態を示す説明図（Ａ）〜（Ｃ）である。
【符号の説明】
１１　　　ボルト
１１１　　旋回ヘッド
１１２　　ネジヤマ付きボディ
１２　　　固定ブッシュＡ
１２１　　仕切片
１２２　　サポート・ボディ
１２３　　ガイド・スロット
１２４　　孔部
１３　　　固定ブッシュＢ
１３１　　孔部
１３２　　サポート・ボディ
１４　　　固定ナット
１４１　　ネジヤマ付き孔部
１４２　　ガイド板
１４３　　ガイド斜面
【図１】
0003098067.tif 000003
【図２】
0003098067.tif 000004
【図３】
0003098067.tif 000005